(57)【要約】      （修正有）【課題】ディスプレイ上に表示されディジタル画像に基づいて出品物の実際の寸法を知ることを可能にする。【解決手段】目盛り記録部１３０は画像入出力部１１０から入力されたデジタルカメラなどによる電子写真画像の所定の位置に、操作部１２０を介して指定された目盛り間隔の目盛りを記録した画像を生成するプログラムを提供する。【選択図】図１
2005190176.tif 000002
【特許請求の範囲】
【請求項１】
画像が入力される画像入力手段と、
前記画像入力手段を介して入力された画像である入力画像に記録する目盛りの目盛り間隔をユーザに指定させる操作手段と、
前記入力画像の所定の位置に、前記操作手段を介して指定された目盛り間隔の目盛りを記録した画像の画像情報を生成する目盛り記録手段と
を有する目盛り画像生成装置。
【請求項２】
画像が入力される画像入力手段と、
前記画像入力手段を介して入力された画像である入力画像に予め寸法の明らかなものの像が含まれるか否かを判断する像有無判断手段と、
前記入力画像に予め寸法の明らかなものの像が含まれると前記像有無判断手段によって判断されたときに、前記入力画像に含まれる予め寸法の明らかなものの像に基づいて、前記入力画像に記録する目盛りの目盛り間隔の情報を抽出する目盛り間隔抽出手段と、
前記入力画像に予め寸法の明らかなものの像が含まれないと前記像有無判断手段によって判断されたときに、目盛り間隔をユーザに指定させる操作手段と、
前記入力画像の所定の位置に、前記目盛り間隔抽出手段によって抽出された目盛り間隔の情報に基づいて特定される目盛り間隔の目盛り、または前記目盛り間隔指定手段によって指定された目盛り間隔の目盛りを記録した画像の画像情報を生成する目盛り記録手段と
を有する目盛り画像生成装置。
【請求項３】
前記操作手段は、前記入力画像に含まれる被写体の像と背景画像をユーザに指定させ、
前記目盛り画像生成装置は、さらに、
前記操作手段を介して指定された前記被写体の像を認識する被写体認識手段と、
前記被写体認識手段が認識した前記被写体の像と前記操作手段を介して指定された前記背景画像とを合成して合成画像を生成する画像合成手段とを備え、
前記目盛り記録手段は、前記画像合成手段が生成した合成画像に前記目盛りを記録する、請求項１または請求項２に記載の目盛り画像生成装置。
【請求項４】
コンピュータに、
入力された画像である入力画像に記録する目盛りの目盛り間隔をユーザに指定させる目盛り間隔指定ステップと、
前記入力画像の所定の位置に、前記目盛り間隔指定ステップで指定された目盛り間隔の目盛りを記録した画像の画像情報を生成する目盛り記録ステップと
を実行させる目盛り画像生成プログラム。
【請求項５】
コンピュータに、
入力された画像である入力画像に予め寸法の明らかなものの像が含まれるか否かを判断する像有無判断ステップと、
前記像有無判断ステップで、予め寸法の明らかなものの像が前記入力画像に含まれると判断されたときに、前記入力画像に含まれる予め寸法の明らかなものの像に基づいて、前記入力画像に記録する目盛りの目盛り間隔の情報を抽出する目盛り間隔抽出ステップと、
前記像有無判断ステップで、予め寸法の明らかなものの像が前記入力画像に含まれないと判断されたときに、目盛り間隔をユーザに指定させる目盛り間隔指定ステップと、
前記入力画像の所定の位置に、前記目盛り間隔抽出ステップで抽出された目盛り間隔の情報に基づいて特定される目盛り間隔の目盛り、または前記目盛り間隔指定ステップで指定された目盛り間隔の目盛りを設けた画像の画像情報を生成する目盛り記録ステップと
を実行させる目盛り画像生成プログラム。
【請求項６】
コンピュータに、
前記入力画像に含まれる被写体の像を指定させる被写体指定ステップと、
前記被写体指定ステップで指定された被写体の像を認識する被写体認識ステップと、
背景画像を指定させる背景指定ステップと、
前記被写体指定ステップで指定された前記被写体の像と前記背景指定ステップで指定された前記背景画像を合成して合成画像を生成する画像合成ステップとをさらに実行させ、
前記目盛り記録ステップは、前記画像合成ステップで生成した合成画像に前記目盛りを記録する、請求項４または請求項５に記載の目盛り画像生成プログラム。
【発明の詳細な説明】
【技術分野】
【０００１】
本発明は、電子写真に目盛りを記録する目盛り画像生成装置および目盛り画像生成プログラムに関する。
【背景技術】
【０００２】
近年、ネットワーク上で競売またはオークション（以下、単に「ネットオークション」という。）を可能とするサービスが急速に普及しだした（例えば、非特許文献１参照。）。閲覧者は、商品名等をキーワードとして関心のある商品を検索し、検索で見つかった商品に関する情報をネットワーク上のサーバから取得し、自己のコンピュータのディスプレイ上に表示させる。
【０００３】
ネットオークションで取引される商品は、定まった形状のある物品であることが多く、その商品の外観が、使用の程度を知る上や美的価値に関する判断をする上で、重要な情報を与えることも多い。具体的には、いわゆるディジタルカメラに関心のある閲覧者は、自己のコンピュータのディスプレイ上に表示されたディジタルカメラの映像を見て、「まだ新しい」とか「美的に価値がある」とか判断する。
【非特許文献１】インターネット（ｈｔｔｐ：／／ｗｗｗ．ｂｉｄｄｅｒｓ．ｃｏ．ｊｐ／ｔｕｔｏｒｉａｌ／ｒａｋｕ０１．ｈｔｍｌ）
【発明の開示】
【発明が解決しようとする課題】
【０００４】
しかし、このような従来の技術では、ディスプレイ上に表示されディジタル画像に基づいて出品物の実際の寸法を知ることができないという問題があった。そのため、閲覧者は、出品物の寸法を知ろうとする場合、それらを予想したり、商品についての記載項目等から見つけ出したりしなければならず、それらの情報を、直接、ディスプレイ上のディジタル画像に基づいて得ることは、困難または手間のかかるものであり、操作上不便であった。
【０００５】
本発明はこのような問題を解決するためになされたもので、その目的は、ディスプレイ上に表示されディジタル画像に基づいて出品物の実際の寸法を知ることが可能な目盛り画像生成装置および目盛り画像生成プログラムを提供することである。
【課題を解決するための手段】
【０００６】
本発明の第１の態様によれば、目盛り画像生成装置は、画像が入力される画像入力手段と、画像入力手段を介して入力された画像である入力画像に記録する目盛りの目盛り間隔をユーザに指定させる操作手段と、入力画像の所定の位置に、操作手段を介して指定された目盛り間隔の目盛りを記録した画像の画像情報を生成する目盛り記録手段とを有している。
【０００７】
目盛り記録手段を設け、操作手段を介して指定された目盛り間隔の目盛りを入力画像に記録するようにしたため、ディスプレイ上に表示されたディジタル画像に基づいて出品物の実際の寸法を知ることが可能となる。
【０００８】
本発明の第２の態様によれば、目盛り画像生成装置は、画像が入力される画像入力手段と、画像入力手段を介して入力された画像である入力画像に予め寸法の明らかなものの像が含まれるか否かを判断する像有無判断手段と、入力画像に予め寸法の明らかなものの像が含まれると像有無判断手段によって判断されたときに、入力画像に含まれる予め寸法の明らかなものの像に基づいて、入力画像に記録する目盛りの目盛り間隔の情報を抽出する目盛り間隔抽出手段と、入力画像に予め寸法の明らかなものの像が含まれないと像有無判断手段によって判断されたときに、目盛り間隔をユーザに指定させる操作手段と、入力画像の所定の位置に、目盛り間隔抽出手段によって抽出された目盛り間隔の情報に基づいて特定される目盛り間隔の目盛り、または目盛り間隔指定手段によって指定された目盛り間隔の目盛りを記録した画像の画像情報を生成する目盛り記録手段とを有している。
【０００９】
目盛り記録手段を設け、操作手段を介して指定された目盛り間隔の目盛りを入力画像に記録するようにしたため、ディスプレイ上に表示されたディジタル画像に基づいて出品物の実際の寸法を知ることが可能であると共に、目盛り間隔抽出手段を設けて、入力画像中の予め寸法の明らかな像に基づいて目盛り間隔の情報を抽出するようにしたため、目盛りを入力画像に記録するのにユーザの手間を削減することが可能となる。
【００１０】
また、本発明の実施態様によれば、操作手段は、入力画像に含まれる被写体の像と背景画像をユーザに指定させ、目盛り画像生成装置は、さらに、操作手段を介して指定された前記被写体の像を認識する被写体認識手段と、被写体認識手段が認識した被写体の像と操作手段を介して指定された背景画像とを合成して合成画像を生成する画像合成手段とを備え、目盛り記録手段は、画像合成手段が生成した合成画像に前記目盛りを記録する。
【００１１】
画像合成手段を設けて被写体の像と背景画像を合成できるようにしたため、所望の背景画像に被写体の像を表示させることが可能となる。
【００１２】
また、本発明の目盛り画像生成プログラムは、コンピュータに、入力された画像である入力画像に記録する目盛りの目盛り間隔をユーザに指定させる目盛り間隔指定ステップと、前記入力画像の所定の位置に、前記目盛り間隔指定ステップで指定された目盛り間隔の目盛りを記録した画像の画像情報を生成する目盛り記録ステップとを実行させる。
【００１３】
ユーザによって指定された目盛り間隔の目盛りを入力画像に記録するようにしたため、ディスプレイ上に表示されたディジタル画像に基づいて出品物の実際の寸法を知ることが可能となる。
【００１４】
本発明の他の目盛り画像生成プログラムは、コンピュータに、入力された画像である入力画像に予め寸法の明らかなものの像が含まれるか否かを判断する像有無判断ステップと、像有無判断ステップで、予め寸法の明らかなものの像が前記入力画像に含まれると判断されたときに、入力画像に含まれる予め寸法の明らかなものの像に基づいて、入力画像に記録する目盛りの目盛り間隔の情報を抽出する目盛り間隔抽出ステップと、像有無判断ステップで、予め寸法の明らかなものの像が前記入力画像に含まれないと判断されたときに、目盛り間隔をユーザに指定させる目盛り間隔指定ステップと、入力画像の所定の位置に、目盛り間隔抽出ステップで抽出された目盛り間隔の情報に基づいて特定される目盛り間隔の目盛り、または目盛り間隔指定ステップで指定された目盛り間隔の目盛りを設けた画像の画像情報を生成する目盛り記録ステップとを実行させる。
【００１５】
ユーザによって指定された目盛り間隔の目盛りを入力画像に記録するようにしたため、ディスプレイ上に表示されたディジタル画像に基づいて出品物の実際の寸法を知ることが可能であると共に、目盛り間隔抽出ステップで、入力画像中の予め寸法の明らかな像に基づいて目盛り間隔の情報を抽出するようにしたため、ユーザが入力することなく目盛りを入力画像に記録することが可能となる。
【００１６】
また、本発明の実施態様によれば、目盛り画像生成プログラムが、コンピュータに、さらに、入力画像に含まれる被写体の像を指定させる被写体指定ステップと、被写体指定ステップで指定された被写体の像を認識する被写体認識ステップと、背景画像を指定させる背景指定ステップと、被写体指定ステップで指定された被写体の像と背景指定ステップで指定された背景画像を合成して合成画像を生成する画像合成ステップとを実行させ、目盛り記録ステップは、画像合成ステップで生成した合成画像に目盛りを記録する。
【００１７】
画像合成ステップで被写体の像と背景画像を合成できるようにしたため、所望の背景画像に被写体の像を表示させることが可能となる。
【発明の効果】
【００１８】
本発明は、指定された目盛り間隔の目盛りまたは装置が検出した目盛り間隔の目盛りを入力画像に記録するようにしたため、ディスプレイ上に表示されディジタル画像に基づいて出品物の実際の寸法を知ることが可能となる。
【発明を実施するための最良の形態】
【００１９】
以下、本発明の実施の形態について、図面を用いて説明する。
【００２０】
［第１の実施の形態］
図１は、本発明の第１の実施の形態による目盛り画像生成装置のブロック構成を示す図である。図１において、目盛り画像生成装置１００Ａは、画像が入出力される画像入出力部１１０と、画像入出力部１１０を介して入力された画像である入力画像に記録する目盛りの目盛り間隔をユーザに指定させる操作部１２０と、入力画像の所定の位置に、操作部１２０を介して指定された目盛り間隔の目盛りを記録した画像の画像情報を生成する目盛り記録部１３０とで構成される。
【００２１】
なお、画像入出力部１１０は実際には目盛り画像生成装置１００に画像を入力するための画像入力手段と、目盛り画像生成装置１００から画像を出力するための画像出力手段とを含むように構成されるが、説明の都合上、図１では、１つの構成手段として示した。
【００２２】
図２は、目盛り画像生成装置１００Ａの具体的構成の一例を示す図である。
【００２３】
画像入出力部１１０は、具体的には、フレキシブルディスクやＤＶＤ（Ｄｉｇｉｔａｌ  Ｖｅｒｓａｔｉｌｅ  Ｄｉｓｃ）等から画像等を読み出す（書き込みができるのでもよい）ディスクドライブ１１１、ＩＣカード１０等の記憶媒体から情報を読み出す（書き込みができるのでもよい）リーダライタ１１２、撮像手段としてのディジタルカメラ１１３、ネットワーク上のコンピュータと通信し、画像等を受信しまたは送信する通信部１１４等のいずれか、もしくは、それらの組み合わせ、またはそれらの全て、もしくは、他の手段を付加したものによって構成されるのでもよい。
【００２４】
操作部１２０は、具体的には、キーボードやマウス、タッチパネル等によって構成される入力部１２１を含むように構成される。ただし、入力部１２１は、このような構成には限定されない。操作部１２０は、さらに、表示部１２２を含むように構成され、目盛り画像生成装置１００Ａからの情報を表示できるのがさらに好適である。
【００２５】
目盛り記録部１３０は、具体的には、データ処理や制御を行うＣＰＵ（Ｃｅｎｔｒａｌ  Ｐｒｏｃｅｓｓｉｎｇ  Ｕｎｉｔ）１３１、ＯＳ（Ｏｐｅｒａｔｉｎｇ  Ｓｙｓｔｅｍ）やその他のプログラムおよび制御用のデータ等を記憶するＲＯＭ（Ｒｅａｄ  Ｏｎｌｙ  Ｍｅｍｏｒｙ）１３２、ＣＰＵ１３１で用いるプログラムやデータ等を記憶するＲＡＭ（Ｒａｎｄｏｍ  Ａｃｃｅｓｓ  Ｍｅｍｏｒｙ）１３３、アプリケーションソフトや所定のデータを不揮発かつ書替可能に記憶するＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１３４、および、画像データ等を記憶するハードディスク１３５を含むように構成されるのでもよい。
【００２６】
そして、種々の目盛り間隔の目盛りを画像に記録するための画像データは、例えば、ＥＥＰＲＯＭ１３４やハードディスク１３５等に記憶されるのでもよい。なお、目盛りとして、異なる目盛り間隔の目盛りを記憶するだけでなく、目盛りのデザインの異なるものをも記憶できるのでもよい。
【００２７】
図３は、被写体２１１が撮像されて得られた画像（以下、入力画像という。）２１０に目盛り２２１ａ、２２１ｂを記録した画像２３０を生成した例を示す。図３では、入力画像２１０中の被写体２１１の縮尺に応じた目盛り２２１ａ、２２１ｂが記録されている。図３には、被写体２１１の左下の座標（ｘ１、ｙ１）のｘ座標に目盛り２２１ａの左端（座標（ｘ１、ｙ２））のｘ座標が一致するように目盛り２２１ａが配置され、被写体２１１の右下の座標（ｘ３、ｙ３）のｙ座標に目盛り２２１ａの下端（座標（ｘ４、ｙ３））のｙ座標が一致するように目盛り２２１ｂが配置されている様子を示す。
【００２８】
図４は、目盛り画像生成装置１００Ａの動作を説明するためのフローチャートである。
【００２９】
まず、画像入出力部１１０を介した画像の入力指示があるか否かが目盛り記録部１３０によって判断される（ステップ３１０）。ステップ３１０で画像の入力指示が有ったと判断された場合、画像入出力部１１０を介して画像の取得を行い（ステップ３２０）、画像の入力指示がなかったと判断された場合、処理はステップ３１０に戻り上記の処理が繰り返される。
【００３０】
ステップ３２０で画像の取得が行われたら、さらなる画像の取得の指示があるか否かが目盛り記録部１３０によって判断される（ステップ３３０）。さらなる画像の取得の指示が有ったと判断した場合、処理はステップ３２０に戻り、指示は無かったと判断した場合、処理は、ステップ３４０に進む。
【００３１】
図５は図４中の目盛り記録処理（ステップ３４０）の詳細を示すフローチャートである。図３に示す例を用いて目盛り記録処理について説明する。まず、入力画像２１０に記録する目盛りの目盛り間隔の指定が目盛り記録部１３０によって促される（ステップ４４１）。指定を促すのに、例えば、表示部１２２に「目盛り間隔を指定してください。」と表示して促すのでもよい。ステップ４４１で目盛り間隔の指定を促したら、目盛り間隔を指定する入力があったかが目盛り記録部１３０によって判断される（ステップ４４２）。ステップ４４２で目盛り間隔を指定する入力があったと判断した場合、入力画像２１０の予め決められた位置に目盛り２２１ａ、２２１ｂが記録され（ステップ４４９）、入力がなかったと判断した場合、処理はステップ４４１に戻る。ここで、入力画像２１０の予め決められた位置としては、例えば、被写体２１１と目盛り２２１ａ、２２１ｂとが重ならないような位置とするのでもよい。
【００３２】
以上説明したように、本発明の第１の実施の形態は、目盛り記録部１３０を設け、操作部１２０を介して指定された目盛り間隔の目盛りを入力画像に記録するようにしたため、ディスプレイ上に表示されたディジタル画像に基づいて出品物の実際の寸法を知ることができる。
【００３３】
また、画像入力手段としてカメラ等の撮像手段を用いることができるため、撮像して取得した画像に直接目盛りを記録することができる。
【００３４】
さらに、画像入力手段として通信手段を用いることができるため、ネットワークを介して取得した画像に目盛りを記録することができる。
【００３５】
なお、本発明の第１の実施の形態では、目盛り画像生成装置１００Ａが上記のステップ４４１〜４４９の各ステップでの処理を行う目盛り画像生成動作について説明したが、これらのステップ４４１〜４４９を含む目盛り画像生成動作を実行させるための、コンピュータ読取り可能な記録媒体に記録された目盛り画像生成プログラムがインストールされた所定のコンピュータを用いて実施することも可能である。少なくとも、コンピュータに、入力された画像である入力画像に記録する目盛りの目盛り間隔をユーザに指定させる目盛り間隔指定ステップと、入力画像の所定の位置に、目盛り間隔指定ステップで指定された目盛り間隔の目盛りを記録した画像の画像情報を生成する目盛り記録ステップとを実行させるように構成されたプログラムであれば、ディスプレイ上に表示されたディジタル画像に基づいて出品物の実際の寸法を知ることができる。
【００３６】
なお、コンピュータ読み取り可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【００３７】
［第２の実施の形態］
図６は、本発明の第２の実施の形態による目盛り画像生成装置のブロック構成を示す図である。図６において、目盛り画像生成装置１００Ｂは、本発明の第１の実施の形態による目盛り画像生成装置１００Ａの構成に、画像入出力部１１０を介して入力された画像である入力画像に予め寸法の明らかなものの像が含まれるか否かを判断する像有無判断部１４０と、入力画像に予め寸法の明らかなものの像が含まれると像有無判断部１４０によって判断されたときに、入力画像に含まれる予め寸法の明らかなものの像に基づいて、入力画像に記録する目盛りの目盛り間隔の情報を抽出する目盛り間隔抽出部１５０とを付加した構成を有する。
【００３８】
図７は、目盛り画像生成装置１００Ｂの具体的構成の一例を示す図である。
【００３９】
上記の像有無判断部１４０と目盛り間隔抽出部１５０は、具体的には、ＣＰＵ１３１、ＲＯＭ１３２、ＲＡＭ１３３、ＥＥＰＲＯＭ１３４、ハードディスク１３５等によって構成される。さらに具体的には、ＥＥＰＲＯＭ１３４やハードディスク１３５に記憶されたプログラムやデータが読み出されてＲＡＭ１３３に記憶され、ＲＡＭ１３３に記憶されたプログラムやデータに基づいてＣＰＵ１３１が、像有無判断部１４０や目盛り間隔抽出部１５０の機能を果たすように構成されるのでもよい。
【００４０】
図８は目盛り画像生成装置１００Ｂの動作を説明するためのフローチャートである。
【００４１】
まず、画像入出力部１１０を介して入力された画像である入力画像に予め寸法の明らかなものの像が含まれるか否かが像有無判断部１４０によって判断される（ステップ５４１）。具体的には、像有無判断部１４０は、入力画像中の像とＥＥＰＲＯＭ１３４、ハードディスク１３５等に記憶している画像とを比較照合する等により、寸法の明らかなものの像が入力画像に含まれるか否かを判断する。
【００４２】
ステップ５４１で、予め寸法の明らかなものの像が入力画像に含まれると判断されたとき、入力画像に含まれる寸法の明らかなものの像に基づいて、入力画像に記録する目盛りの目盛り間隔の情報が目盛り間隔抽出部１５０によって抽出される（ステップ５４２）。ここで、寸法の明らかな像としては、例えば、コイン、タバコの箱、物差し等があげられる。寸法の明らかなものの寸法のデータは、予めＲＯＭ１３２、ＥＥＰＲＯＭ１３４、ハードディスク１３５等に記憶されているものとする。
【００４３】
ステップ５４１で、予め寸法の明らかなものの像が入力画像に含まれないと判断されたとき、操作部１２０を介して目盛り間隔の指定をユーザに促す（ステップ５４３）。目盛り間隔の指定をユーザに促した後、目盛り間隔の指定の入力があったか否かが目盛り記録部１３０によって判断され、入力があった場合、処理はステップ５４９に進み、入力がなかった場合、処理はステップ５４３に戻り、入力がなされるまでこの動作を繰り返す。ステップ５４９では、入力画像の所定の位置に、ステップ５４２で抽出された目盛り間隔の情報に基づいて特定される目盛り間隔の目盛り、またはステップ５４３とステップ５４４の間で指定された目盛り間隔の目盛りを設けた画像の画像情報を生成する。
【００４４】
以上説明したように、本発明の第２の実施の形態は、本発明の第１の実施の形態の効果に加え、目盛り間隔抽出部１５０を設けて、入力画像中の予め寸法の明らかなものの像に基づいて目盛り間隔の情報を抽出するようにしたため、目盛りを入力画像に記録するのにユーザの手間を削減することができる。
【００４５】
なお、本発明の第２の実施の形態では、目盛り画像生成装置１００Ｂが上記のステップ５４１〜ステップ５４４、およびステップ５４９の各ステップでの処理を行う目盛り画像生成動作について説明したが、これらのステップ５４１〜５４４、および５４９を含む目盛り画像生成動作を実行させるための目盛り画像生成プログラムがインストールされた所定のコンピュータを用いて実施することも可能である。
【００４６】
［第３の実施の形態］
図９は、本発明の第３の実施の形態による目盛り画像生成装置のブロック構成を示す図である。図９において、目盛り画像生成装置１００Ｃは、本発明の第１の実施の形態による目盛り画像生成装置１００Ａの構成に、被写体の像を認識する被写体認識部１６０と、被写体認識部１６０が認識した被写体の像と背景画像とを合成して合成画像を生成する画像合成部１７０とを付加した構成を有する。
【００４７】
図１０は、目盛り画像生成装置１００Ｃの具体的構成の一例を示す図である。
【００４８】
上記の被写体認識部１６０と画像合成部１７０は、具体的には、ＣＰＵ１３１、ＲＯＭ１３２、ＲＡＭ１３３、ＥＥＰＲＯＭ１３４、ハードディスク１３５等によって構成される。さらに具体的には、ＥＥＰＲＯＭ１３４やハードディスク１３５に記憶されたプログラムやデータが読み出されてＲＡＭ１３３に記憶され、ＲＡＭ１３３に記憶されたプログラムやデータに基づいてＣＰＵ１３１が、被写体認識部１６０や目盛り間隔抽出部１５０の機能を果たすように構成されるのでもよい。
【００４９】
図１１は、目盛り画像生成装置１００Ｃの動作を説明するためのフローチャートである。本発明の第１の実施の形態で示した処理と同様の処理を行うものについては、その説明を省略する。
【００５０】
まず、入力画像に含まれる被写体の像の指定をユーザに促す（ステップ１１４３）。被写体の像の指定を促す方法としては、表示部１２２に入力画像を表示し、「被写体の像を指し、クリックしてください。」等の表示する方法などがある。ユーザは、例えば、ポインティングディバイス等の入力部１２１を介して被写体の像を指定する。
【００５１】
ステップ１１４３で被写体の像の指定を促したら、被写体の像を指定する入力があったか否かが目盛り記録部１３０によって判断され（ステップ１１４４）、入力があったと判断した場合、処理はステップ１１４５に進み、ステップ１１４３で指定された被写体の像を認識し、入力がなかったと判断した場合、処理はステップ１１４３に戻り上記の処理を繰り返す。
【００５２】
ステップ１１４５で被写体の像を認識したら、背景画像の指定をユーザに促す（ステップ１１４６）。ここで、背景画像の指定を促す方法としては、表示部１２２に所定の背景画像を表示し、「背景画像をクリックしてください。」等の表示する方法などがある。ユーザは、例えば、ポインティングディバイス等の入力部１２１を介して背景画像を指定する。表示する背景画像は、ＥＥＰＲＯＭ１３４、ハードディスク１３５等に記憶されているものとする。
【００５３】
ステップ１１４６で背景画像の指定を促したら、背景画像を指定する入力があったか否かが目盛り記録部１３０によって判断され（ステップ１１４７）、入力があったと判断した場合、処理はステップ１１４８に進み、入力がなかったと判断した場合、処理はステップ１１４６に戻り上記の処理を繰り返す。
【００５４】
ステップ１１４５で被写体の像が認識され、ステップ１１４７で背景画像が指定されたら、被写体の像と背景画像を合成して合成画像を生成する（ステップ１１４８）。画像合成の技術は、公知であり、その説明を省略する。ステップ１１４８で合成画像を生成したら、この合成画像に、ユーザが指定した目盛り間隔の目盛りを記録する（ステップ４４９）。
【００５５】
以上説明したように、本発明の第３の実施の形態は、本発明の第１の実施の形態の効果に加え、画像合成部１７０を設けて被写体の像と背景画像を合成できるようにしたため、所望の背景画像に被写体の像を表示させることができる。
【００５６】
なお、目盛り画像生成装置１００Ｃの構成を、本発明の第１の実施の形態による目盛り画像生成装置１００Ａの構成に被写体認識部１６０と画像合成部１７０とを付加した構成としたが、本発明の第２の実施の形態による目盛り画像生成装置１００Ｂの構成に被写体認識部１６０と画像合成部１７０とを付加した構成でもよく、上記と同様の効果を得ることができる。
【００５７】
また、本発明の第３の実施の形態では、目盛り画像生成装置が上記のステップ４４１、４４２、１１４３〜１１４８、および４４９の各ステップでの処理を行う目盛り画像生成動作について説明したが、これらのステップ４４１、４４２、１１４３〜１１４８、および４４９を含む目盛り画像生成動作を実行させるための目盛り画像生成プログラムがインストールされた所定のコンピュータを用いて実施することも可能である。
【産業上の利用可能性】
【００５８】
本発明による目盛り画像生成装置および目盛り画像生成プログラムは、ディスプレイ上に表示されたディジタル画像に基づいて出品物の実際の寸法を知ることができるという効果が有用な画像処理装置および画像処理プログラム等の用途にも適用できる。
【図面の簡単な説明】
【００５９】
【図１】本発明の第１の実施の形態による目盛り画像生成装置のブロック図である。
【図２】第１の実施の形態による目盛り画像生成装置の具体的構成の一例を示す図である。
【図３】第１の目盛り画像生成装置の動作を説明するための図である。
【図４】第１の実施の形態による目盛り画像生成装置の動作を説明するためのフローチャートである。
【図５】図４中の目盛り記録処理の詳細を示すフローチャートである。
【図６】本発明の第２の実施の形態による目盛り画像生成装置のブロック図である。
【図７】第２の実施の形態による目盛り画像生成装置の具体的構成の一例を示す図である。
【図８】第２の実施の形態による目盛り画像生成装置の動作を説明するための図である。
【図９】第３の実施の形態による目盛り画像生成装置のブロック図である。
【図１０】本発明の第３の実施の形態による目盛り画像生成装置の具体的構成の一例を示す図である。
【図１１】第３の実施の形態による目盛り画像生成装置の動作を説明するためのフローチャートである。
【符号の説明】
【００６０】
１０    ＩＣカード
１００Ａ、１００Ｂ、１００Ｃ    目盛り画像生成装置
１１０    画像入出力部
１１１    ディスクドライブ
１１２    リーダライタ
１１３    ディジタルカメラ
１１４    通信部
１２０    操作部
１２１    入力部
１２２    表示部
１３０    目盛り記録部
１３１    ＣＰＵ
１３２    ＲＯＭ
１３３    ＲＡＭ
１３４    ＥＥＰＲＯＭ
１３５    ハードディスク
１４０    像有無判断部
１５０    目盛り間隔抽出部
１６０    被写体認識部
１７０    画像合成部
２１０    入力画像
２１１    被写体の像
２２０    目盛りの像を含む画像
２２１ａ、２２１ｂ    目盛りの像
２３０    目盛りを記録した画像
３１０〜３８０、４４１、４４２、４４９    ステップ
５４１〜５４４、５４９、１１４３〜１１４８    ステップ
【図１】
2005190176.tif 000003
【図２】
2005190176.tif 000004
【図３】
2005190176.tif 000005
【図４】
2005190176.tif 000006
【図５】
2005190176.tif 000007
【図６】
2005190176.tif 000008
【図７】
2005190176.tif 000009
【図８】
2005190176.tif 000010
【図９】
2005190176.tif 000011
【図１０】
2005190176.tif 000012
【図１１】
2005190176.tif 000013